(57)【要約】      （修正有）【課題】  従来よりも簡単に装身具の環状部に対して留め付けることが可能な装身具用留め具及びこれを備える装身具を提供する。【解決手段】  相互に回動可能に軸支された第１及び第２本体部１，２と、第１及び第２本体部１，２の先端部どうしを互いに押し付け合わせるべく第１及び第２本体部１，２を付勢するバネ３を備える。バネ３の付勢に抗して第１及び第２本体部１，２の先端部を開いた状態で、第１本体部１の先端側を装身具の環状部に挿入し、バネ３付勢力に従って第１及び第２本体部の先端部を閉じることにより環状部に留め付け可能である。第１本体部１は略直線状に形成され、環状部に対して略直線状に移動させることにより挿入可能である。【選択図】    図２
2007195606.tif 000002
【特許請求の範囲】
【請求項１】
環状部を備える装身具に対して留め付け可能な装身具用留め具において、
相互に回動可能に軸支された第１及び第２本体部と、
前記第１及び第２本体部の先端部どうしを互いに押し付け合わせるべく前記第１及び第２本体部を付勢する付勢手段と、
を備え、
前記付勢手段の付勢力に抗して前記第１及び第２本体部の先端部どうしを互いに離間させた状態で、前記第１本体部の先端側を装身具の環状部に挿入し、該挿入した状態で、前記付勢手段の付勢力に従って前記第１及び第２本体部の先端部どうしを互いに押し付け合わせることにより、当該装身具用留め具を装身具の環状部に留め付け可能であり、
前記第１本体部のうち少なくとも装身具の環状部に挿入される部分は、略直線状に形成され、装身具の環状部に対して略直線状に移動させることにより該環状部内に挿入可能であることを特徴とする装身具用留め具。
【請求項２】
前記第２本体部の先端部には、該第２本体部の基端部側に向けて折り返されたように湾曲し、当該装身具用留め具が装身具の環状部から脱落してしまうことを防止する返し部が形成されていることを特徴とする請求項１に記載の装身具用留め具。
【請求項３】
当該装身具用留め具を装身具の一部に留め付けた際に該装身具の一部を保持する前記第１本体部と前記第２本体部との間の空間を保持空間とすると、
前記保持空間内に位置する装身具の一部が前記第１及び第２本体部を軸支する軸支部の方に移動してしまうことを阻止する阻止部が、前記第１及び第２本体部のうちの何れか一方に形成されていることを特徴とする請求項１又は２に記載の装身具用留め具。
【請求項４】
当該装身具用留め具を装身具の一部に留め付けた際に該装身具の一部を保持する前記第１本体部と前記第２本体部との間の空間を保持空間とすると、
前記第１及び第２本体部のうちの少なくとも一方の先端部の外側には、装身具の一部を前記保持空間内へと誘導するための傾斜部が形成されていることを特徴とする請求項１乃至３の何れか一項に記載の装身具用留め具。
【請求項５】
請求項１乃至４の何れか一項に記載の装身具用留め具を備えることを特徴とする装身具。
【発明の詳細な説明】
【技術分野】
【０００１】
本発明は、装身具用留め具及びこれを備える装身具に関する。
【背景技術】
【０００２】
従来、例えば、ネックレス、ブレスレット、ペンダント或いはその他の装身具用の留め具としては、例えば、図８乃至図１０に示すものがある。
【０００３】
図８は従来の装身具用留め具１００を備える装身具１５０を示す斜視図、図９及び図１０は装身具用留め具１００の拡大斜視図である。
【０００４】
図８に示すように、装身具用留め具１００は、例えば、装身具１５０の一端部に取り付けられるものである。
【０００５】
図９及び図１０に示すように、装身具用留め具１００は、略Ｃ形状の筒状体である第１部分１０１と、この第１部分１０１の内周の一部分に沿うような曲線状の形状に構成されて該第１部分１０１の内部に配設された第２部分１０２と、第１部分１０１の内部に配設され、該第１部分１０１に対して相対的に第２部分１０２を付勢するスプリング（第１部分１０１の内部に配設されているため図示略）と、を備えて構成されている。
【０００６】
このスプリングは、第２部分１０２の一端側を、第１部分１０１の２つの開口端のうち一方の開口端１０１Ａから突出させ、更に、該第２部分１０２の一端側を第１部分１０１の他方の開口端１０１Ｂより第１部分１０１内へと突入させるべく付勢する。
【０００７】
第２部分１０２には、使用者の指先（或いは爪先）が係止される係止用突起１０２Ａが形成されている。
【０００８】
他方、第１部分１０１には、係止用突起１０２Ａの移動領域を構成するスリット１０１Ｃが形成されている。
【０００９】
第２部分１０２の係止用突起１０２Ａにユーザが指先を掛けて図９の矢印Ｈ方向に押すことにより、スプリングの付勢に抗して第２部分１０２を第１部分１０１に対して矢印Ｈ方向に移動させ、装身具用留め具１００を図１０に示すように開いた状態にすることができる。
【００１０】
この状態で、第１部分１０１を、該第１部分１０１の何れかの一端部から装身具１５０が備える環状部１５１に通し、更に、このように通した状態で、第２部分１０２の係止用突起１０２Ａを離すことにより、図８に示すように、装身具用留め具１００を環状部１５１に留め付けることができる。
【００１１】
なお、図８乃至図１０に示すような装身具用留め具１００を開示した先行技術文献は見つけることができなかった。
【発明の開示】
【発明が解決しようとする課題】
【００１２】
しかしながら、上記の装身具用留め具１００を環状部１５１に留め付ける作業は、細かな作業であり、指先の器用さが求められる。
【００１３】
具体的には、係止用突起１０２Ａを押して図１０に示すように開いた状態にする作業にも器用さが求められるし、第１部分１０１の一対の開口端１０１Ａ、１０１Ｂに環状部１５１が通された状態となるように装身具用留め具１００及び環状部１５１を互いに位置あわせする作業にも器用さが求められる。
【００１４】
本発明は、上記のような問題点を解決するためになされたもので、従来よりも簡単に装身具の環状部に対して留め付けることが可能な装身具用留め具及びこれを備える装身具を提供することを目的とする。
【課題を解決するための手段】
【００１５】
上記課題を解決するため、本発明の装身具用留め具は、環状部を備える装身具に対して留め付け可能な装身具用留め具において、相互に回動可能に軸支された第１及び第２本体部と、前記第１及び第２本体部の先端部どうしを互いに押し付け合わせるべく前記第１及び第２本体部を付勢する付勢手段と、を備え、前記付勢手段の付勢力に抗して前記第１及び第２本体部の先端部どうしを互いに離間させた状態で、前記第１本体部の先端側を装身具の環状部に挿入し、該挿入した状態で、前記付勢手段の付勢力に従って前記第１及び第２本体部の先端部どうしを互いに押し付け合わせることにより、当該装身具用留め具を装身具の環状部に留め付け可能であり、前記第１本体部のうち少なくとも装身具の環状部に挿入される部分は、略直線状に形成され、装身具の環状部に対して略直線状に移動させることにより該環状部内に挿入可能であることを特徴としている。
【００１６】
本発明の装身具用留め具においては、前記第２本体部の先端部には、該第２本体部の基端部側に向けて折り返されたように湾曲し、当該装身具用留め具が装身具の環状部から脱落してしまうことを防止する返し部が形成されていることが好ましい。
【００１７】
本発明の装身具用留め具においては、当該装身具用留め具を装身具の一部に留め付けた際に該装身具の一部を保持する前記第１本体部と前記第２本体部との間の空間を保持空間とすると、前記保持空間内に位置する装身具の一部が前記第１及び第２本体部を軸支する軸支部の方に移動してしまうことを阻止する阻止部が、前記第１及び第２本体部のうちの何れか一方に形成されていることが好ましい。
【００１８】
本発明の装身具用留め具においては、当該装身具用留め具を装身具の一部に留め付けた際に該装身具の一部を保持する前記第１本体部と前記第２本体部との間の空間を保持空間とすると、前記第１及び第２本体部のうちの少なくとも一方の先端部の外側には、装身具の一部を前記保持空間内へと誘導するための傾斜部が形成されていることが好ましい。
【００１９】
本発明の装身具は、装身具用留め具を備えることを特徴としている。
【発明の効果】
【００２０】
本発明によれば、第１本体部のうち少なくとも装身具の環状部に挿入される部分は、略直線状に形成され、装身具の環状部に対して略直線状に移動させることにより該環状部内に挿入可能であるので、装身具用留め具を装身具の環状部に留め付ける作業が従来よりも簡単となる。
【発明を実施するための最良の形態】
【００２１】
以下、図面を参照して、本発明に係る実施形態について説明する。
【００２２】
図１乃至図３は本実施形態に係る装身具用留め具１を示す図であり、このうち図１は斜視図、図２は側断面図、図３は分解斜視図である。
【００２３】
図１乃至図３に示すように、本実施形態に係る装身具用留め具１０は、相互に回動可能に軸支された第１及び第２本体部１，２と、第１及び第２本体部１，２の先端部どうしを互いに押し付け合わせるべく第１及び第２本体部１，２を付勢するバネ３（付勢手段）と、を備えている。
【００２４】
第１及び第２本体部１，２は、例えば、ピン状の軸支体４によって相互に回動可能に軸支され、この軸支体３を回動軸として相対的に回動可能とされている。
【００２５】
第１及び第２本体部１，２は、使用者により、例えばつまむようにして押圧操作される操作部５、６と、軸支体４を中心として操作部５，６とは反対側に位置し、操作部５，６に対する操作に連動して開閉動作する開閉部７，８と、を備えている。
【００２６】
なお、第１及び第２本体部１，２は、例えば、金属からなることが挙げられるが、第１及び第２本体部１，２の材質はその他（例えば樹脂など）であっても良い。
【００２７】
バネ３は、例えば、図３に示すように、弾性体からなる１本の線材（例えば、金属の線材）を屈曲形成したものであり、軸支体４が内部に挿通される挿通部９と、操作部５における操作部６側の面を該操作部６から遠ざかる方向に付勢する第１付勢部１１と、操作部６における操作部５側の面を該操作部５から遠ざかる方向に付勢する第２付勢部１２と、を備えて構成されている。挿通部９は、例えば、バネ３を構成する線材を複数回巻回して構成されている。
【００２８】
なお、バネ３は、このような構成（シングルトーション）に限らず、例えば、弾性体からなる板を、くの字状に折り曲げ形成してなる板バネであっても良いし、或いは、コイルバネであっても良い。
【００２９】
このような装身具用留め具１０においては、操作部５，６を（バネ３による付勢力に抗して）相互に近づけるように押圧操作することにより、軸支体４を回動軸として第１本体部１，２が相対的に回動し、開閉部７，８が開く（互いに離間する）。
【００３０】
他方、操作部５，６に対する操作を解除すると、バネ３の第１及び第２付勢部１１，１２による付勢力に従って、軸支体４を回動軸として第１及び第２本体部１，２が相対的に回動し、操作部５，６が互いに遠ざかる一方で、開閉部７，８が閉じて、該開閉部７，８の先端部どうしが互いに押し付け合う状態となる。
【００３１】
なお、第１及び第２本体部１，２は、それらの基端部である操作部５，６を２本の指の腹でつまむように押して互いに近づけることにより、それらの開閉部７，８どうしをバネ３の付勢力に抗して互いに離間させることができるような形状・寸法に形成されている。
【００３２】
本実施形態の場合、軸支体４は、例えば、図３に示すように、バネ棒である。
【００３３】
すなわち、軸支体４は、筒状の本体筒１６と、この本体筒１６の両端の開口部よりそれぞれ出没可能となるように該本体筒１６に設けられた左右一対の出没部材１７と、本体筒１６内に圧縮状態で配設された圧縮型のコイルスプリング（図示略）と、を備えている。このうち出没部材１７は、本体筒１６内に配置され該本体筒１６の内周面に沿って摺動する摺動部（図示略）と、この摺動部よりも小径に構成され本体筒１６の内外に出没可能な出没部１８と、からなる。また、本体筒１６の両端部は、コイルスプリング及び一対の出没部１８を該本体筒１６内に配置した状態で内側に向けて折り曲げ形成され、一対の出没部１８及びコイルスプリングが本体筒１６より脱落防止されている。
【００３４】
また、第１本体部１には、軸支体４の本体筒１６が挿通される左右一対の挿通孔１４が形成され、第２本体部２には、軸支体４の左右一対の出没部材１７の出没部１８がそれぞれ嵌入される左右一対の嵌入孔１５が形成されている。なお、嵌入孔１５は、図示の都合上、１つしか示していない。
【００３５】
装身具用留め具１０の組み立ては、軸支体４を第１本体部１の挿通孔１４内並びにバネ３の挿通部９内に通し、軸支体４の一対の出没部１８を該軸支体４の本体筒１６内に入り込ませた状態で、第２本体部２の一対の嵌入孔１５を軸支体４の軸心に位置合わせすることにより行う。すなわち、このようにすることにより、一対の嵌入孔１５内にそれぞれ出没部１８が嵌入し、軸支体４によって第１及び第２本体部１，２が相互に回動可能に軸支される（図１及び図２の状態）。
【００３６】
なお、軸支体４は、上記の構成に限らず、例えば、Ｃピンを用いても良いし、カシメピンを用いても良い。Ｃピンとは、筒状の弾性部材（例えば、金属）の長手方向に亘ってスリットを形成したことにより、断面がＣ形状となっているピンのことである。
【００３７】
図１乃至図３に示すように、第１本体部１のうち少なくとも装身具の環状部に挿入される部分は、略直線状に形成されている。これは、第１本体部１を装身具の環状部に対して略直線状に移動させることにより環状部内に挿入可能とするためである。
【００３８】
また、第２本体部２の先端部には、第２本体部２の基端部側に向けて折り返されたように湾曲し、装身具用留め具１０が装身具の環状部から脱落してしまうことを防止する返し部１９が形成されている。
【００３９】
ここで、装身具用留め具１０を装身具の一部（環状部や線状部）に留め付けた際に該装身具の一部を保持する部分（すなわち、第１本体部１と第２本体部２との間の空間）を保持空間２０とする。
【００４０】
保持空間２０内に位置する装身具の一部が軸支体（軸支部）４の方に移動してしまうことを阻止するための板状の阻止部２１が、例えば、第２本体部２に形成されている。なお、阻止部２１は、第１本体部１に形成しても良い。
【００４１】
また、第１及び第２本体部１，２の先端部の外側の面には、装身具の一部（例えば、線状部）を保持空間２０内へと誘導するための傾斜部２２，２３がそれぞれ形成されている。
【００４２】
また、装身具用留め具１０には、該装身具用留め具１０に対して装身具を連結するための連結用環１３が形成されている。この連結用環１３は、例えば、操作部６の後端部に形成されている。なお、連結用環１３は、第１本体部１に形成しても良い。
【００４３】
図４は、上記のような構造の装身具用留め具１０を備える装身具の一例としての、本実施形態に係る第１の態様のネックレス５０を示す斜視図である。
【００４４】
図４に示すように、ネックレス５０は、例えば、複数個の珠型の装飾部材５１を連ねて構成された連珠体５２と、例えば、この連珠体５２の一端部に対して連結環５３を介して連結された装身具用留め具１０と、連珠体５２の他端部に連結された長さ調節用金具（アジャスター）５４と、この長さ調節用金具５４に連結された装飾部材５５と、を備えて構成されている。
【００４５】
このうち長さ調節用金具５４は、複数の環状部５６を鎖状に連結してなる。
【００４６】
なお、図４においては、簡単のため、一部の装飾部材５１並びに一部の環状部５６にのみ符号を付している。
【００４７】
連珠体５２を構成する装飾部材５１は、各々の中心を直線状に貫く貫通穴（図示略）が形成されている。そして、各装飾部材５１の貫通穴に対して順次、芯糸５７を通すことにより、この芯糸５７により各装飾部材５１が相互に連結されている。なお、芯糸５７としては、例えば、ナイロン糸或いは絹糸などが用いられている。
【００４８】
芯糸５７の一端部は、長さ調節用金具５４の一端に位置する環状部５６に連結され、芯糸５７の他端部は、連結環５３に連結されている。
【００４９】
更に、連結環５３は、装身具用留め具１０の連結用環１３に連結されている。
【００５０】
次に、装身具用留め具１０の使用方法について説明する。
【００５１】
図５は、装身具用留め具１０をネックレス５０の環状部５６に対して留め付ける動作を説明するための斜視図である。
【００５２】
装身具用留め具１０は、ネックレス５０などの装身具が備える環状部５６に対して留め付けることができる。
【００５３】
その留め付け動作は、例えば、以下のようにして行うことができる。
【００５４】
先ず、操作部５，６を２本の指でつまむようにして互いに近づけると、この動きに連動して開閉部７，８（すなわち、第１及び第２本体部１，２の先端部）が互いに離間する。
【００５５】
この状態で、図５に示すように、第１本体部１の先端側をネックレス５０の環状部５６内に挿入する。
【００５６】
更に、このように第１本体部１の先端側を挿入した状態で、操作部５，６に対する操作を解除すると、バネ３の付勢力に従って第１及び第２本体部１，２の先端部どうしが互いに押し付け合わされ、図４に示す状態となる。すなわち、装身具用留め具１０が環状部５６に留め付けられた状態となる。
【００５７】
なお、長さ調節用金具５４が備える複数の環状部５６のうちの何れかを選択することにより、ネックレス５０の長さ（首の回りに位置する部分の周長）を好みの長さに調節することができる。
【００５８】
ここで、第１本体部１のうち少なくとも環状部５６に挿入される部分は、略直線状に形成されているため、第１本体部１を環状部５６に対して略直線状に移動させることにより環状部５６内に挿入することができる。
【００５９】
このため、図８に示す従来の装身具用留め具１００と比べて、装身具に対して留め付ける作業が簡単となる。
【００６０】
つまり、従来の装身具用留め具１００の場合には、環状部に対する位置合わせ（挿入量の調節）にある程度の器用さが求められるのに対し、本実施形態に係る装身具用留め具１０の場合には、環状部５６に対する挿入量の調節を殆ど考慮しなくても良いため、留め付けが容易になる。
【００６１】
また、従来の装身具用留め具１００の場合には、寸法の小さい係止用突起１０２Ａを操作する必要があるのに対し、本実施形態に係る装身具用留め具１０の場合には、例えば２本の指先でつまむといった比較的おおざっぱな動きで開閉部７，８を開くことができるので、留め付けが容易になる。
【００６２】
また、第２本体部２の先端部には、フック状の返し部１９が形成されているので、装身具用留め具１０が環状部５６から脱落してしまうことが好適に防止される。
【００６３】
図６は本実施形態に係る第２の態様のネックレス６０を示す斜視図である。
【００６４】
図６に示すように、ネックレス６０は、例えば、複数本の長さ調節用金具５４（図４におけるのと同様）、又は、該長さ調節用金具５４と同様の機能を有する装飾体が、装飾部材５１を介して連結されて概略構成されたものであり、該ネックレス６０の一端部には装身具用留め具１０を備え、他端部には例えば装飾部材６１を備えている。
【００６５】
図６に示すネックレス６０の場合、複数本の長さ調節用金具５４を備えるので、図４に示すネックレス５０と比べて、長さ調節の自由度が向上する。
【００６６】
図７は本実施形態に係る第３の態様のネックレス７０を示す斜視図である。
【００６７】
図７に示すように、ネックレス７０は、例えば、複数本の線状部７１が、装飾部材５１を介して連結されて概略構成されたものであり、該ネックレス７０の一端部には装身具用留め具１０を備え、他端部には例えば装飾部材７１を備えている。
【００６８】
ネックレス７０の線状部７１は、例えば、寸法が小さい複数個の珠型の装飾部材７３を図４に示す連珠体５２と同様に連ねて構成したものであることが挙げられるが、装飾部材５１よりも径が小さく、且つ、保持空間２０よりも径が小さい線状体であれば良く、どのように構成してもよい。
【００６９】
また、装飾部材５１は、装身具用留め具１０の開閉部７，８が閉じた状態において、装身具用留め具１０の保持空間２０を通過不能な寸法に設定されている。
【００７０】
このようなネックレス７０は、図７に示すように装身具用留め具１０を線状部７１に留め付けて用いることができる。
【００７１】
ここで、線状部７１は保持空間２０よりも径が小さい一方で、装飾部材５１は装身具用留め具１０の保持空間２０を通過不能な寸法に設定されているため、装身具用留め具１０は、線状部７１に沿って、該線状部７１の両端に位置する装飾部材５１の間で自在に移動可能となる。よって、ネックレス７０は、ルーズな装着感を得ることができる。
【００７２】
また、装身具用留め具１０は、装身具の一部（具体的には、例えば、線状部７１）が軸支部の方（軸支体４の方）に移動してしまうことを阻止するための板状の阻止部２１を備えているため、装身具用留め具１０の軸支部が線状体７１を噛んでしまうことがない。
【００７３】
また、図７に示すネックレス７０の場合の留め付け作業は、図４に示すネックレス５０の場合と同様に、操作部５，６をつまんで押し付け合うようにして開閉部７，８を開いた後で、保持空間２０内に線状部７１を位置させて操作を解除することによって行うことができる他に、次のようにして行うこともできる。
【００７４】
すなわち、上記のように、第１及び第２本体部１，２の先端部の外側の面には、装身具の一部（例えば、線状部７１）を保持空間２０内へと誘導するための傾斜部２２，２３がそれぞれ形成されている。
【００７５】
このため、操作部５，６をつまんで押し付け合うようにして開閉部７，８を開かないでも、傾斜部２２，２３を線状体７１に突き当てた状態で装身具用留め具１０を線状体７１側に押し付けることにより、線状体７１を保持空間２０内に入り込ませ、装身具用留め具１０を線状体７１に留め付けることができる。
【００７６】
なお、このような留め付け方は、図４及び図６に示すネックレス５０，６０の場合にも、同様に行うこともできる。すなわち、傾斜部２２，２３に環状部５６を突き当てて保持空間２０内に押しこむことによっても、装身具用留め具１０を環状部５６に留め付けることができる。
【００７７】
以上のような実施形態によれば、第１本体部１のうち少なくとも装身具の環状部５６に挿入される部分は、略直線状に形成され、環状部５６に対して略直線状に移動させることにより該環状部５６内に挿入可能であるので、装身具用留め具１０を環状部５６に留め付ける作業が従来よりも簡単となる。
【００７８】
なお、上記の実施形態では、本発明に係る装身具としてネックレス５０，６０，７０のみを例示したが、この例に限らず、例えば、ブレスレット、アンクレットなどの装身具にも同様に適用することができる。
【００７９】
また、傾斜部２２，２３は、第１及び第２本体部１，２の双方に形成されている例を説明したが、傾斜部２２，２３は、第１及び第２本体部１，２のうちの何れか一方にのみ形成されていても良い。
【００８０】
また、軸支体４は、上記のようなバネ棒以外であっても良い。
【００８１】
また、上記の実施形態では、第１及び第２本体部１，２が略十字形状をなしている例を示したが、第１及び第２本体部１，２の形状は任意である。また、第１及び第２本体部１，２に各種の装飾を施すことも任意である。
【図面の簡単な説明】
【００８２】
【図１】実施形態に係る装身具用留め具を示す斜視図である。
【図２】実施形態に係る装身具用留め具を示す側断面図である。
【図３】実施形態に係る装身具用留め具を示す分解斜視図である。
【図４】実施形態に係る第１の態様のネックレスを示す斜視図である。
【図５】装身具用留め具をネックレスの環状部に対して留め付ける動作を説明するための斜視図である。
【図６】実施形態に係る第２の態様のネックレスを示す斜視図である。
【図７】実施形態に係る第３の態様のネックレスを示す斜視図である。
【図８】従来の装身具用留め具を備える装身具を示す斜視図である。
【図９】従来の装身具用留め具を示す斜視図である。
【図１０】従来の装身具用留め具を示す斜視図である。
【符号の説明】
【００８３】
１０    装身具用留め具
１      第１本体部
２      第２本体部
３      バネ（付勢手段）
１９    返し部
２０    保持空間
２１    阻止部
２２    傾斜部
２３    傾斜部
５０    ネックレス（装身具）
５６    環状部
６０    ネックレス（装身具）
７０    ネックレス（装身具）
【図１】
2007195606.tif 000003
【図２】
2007195606.tif 000004
【図３】
2007195606.tif 000005
【図４】
2007195606.tif 000006
【図５】
2007195606.tif 000007
【図６】
2007195606.tif 000008
【図７】
2007195606.tif 000009
【図８】
2007195606.tif 000010
【図９】
2007195606.tif 000011
【図１０】
2007195606.tif 000012